(57)【要約】【課題】特に屋外等で多人数の難聴者等に対する情報保障としての文字伝達方法は、複数枚の筆記板に次々と油性ペン等で文字を記載するが、伝達すべき情報量が多くなると筆記板にかかれた文字を消去して再使用していたので、消去作業が大変で且つ人手が掛かり、ひいては難聴者等に対する情報量が制限される場合があった。そこで、筆記板の文字消去作業を完全に廃し、難聴者等に対する情報保障を滞りなく行うための筆記装置を提供することを課題とする。【解決手段】文字記載可能なスペースを持つボードにロール紙及び巻取り芯を同時に装着し、ロール紙を巻き取ることで連続的に文字記載可能なロール紙面を供給できる筆記装置である。【選択図】図１
2005074995.tif 000002
【特許請求の範囲】
【請求項１】
ロール紙と巻取り芯を同時に装着できることを特徴とするボード。
【請求項２】
前記ロール紙と巻取り芯の中間に位置する巻取り可能な紙面に適当な文筆具で文字が書けるスペースを有することを特徴とする請求項１記載のボード。
【請求項３】
前記ロール紙と巻取り芯を同時に装着した状態で人力により容易に運搬及び支持することが出来ることを特徴とする請求項１及び請求項２記載のボード。
【発明の詳細な説明】
【技術分野】
【０００１】  この発明は、文字情報伝達に使用される文字筆記器具の装置構成に関する。
ここでいう文字とは、一般的な文字のほか図等も含む。以下文字という。
【背景技術】
【０００２】  従来、特に屋外等で多人数の難聴者等に対する情報保障としての文字伝達方法は、図４に示すように文字の書き込み及び消去可能な樹脂面等をもち、かつ人力で運搬可能な筆記板を複数枚用意し、複数の健聴者の筆記者（以下、要約筆記者という）のうちの要約筆記者Ａが要約筆記者Ｂの両手で支持されている筆記板に伝達すべき情報を読みやすく，書きやすくかつ耐水性のある適当な文具（例えば油性ペン）で記載し難聴者に開示するが、１枚の筆記板では書くスペースが不足する場合、次の新しい筆記板に続きを記載していく。しかし伝達すべき情報量が多くなると最初に使用した筆記板を再使用することになり，その筆記板に以前に記載された文字は他の要約筆記者Ｃが適当な文字消去具で消去したのち再使用に供される。このようにして複数枚の筆記板は、書いては消し、書いては消しを繰り返しながら使用される。
【発明の開示】
【発明が解決しようとする課題】
【０００３】しかしながら、以上の技術によれば、筆記板に油性ペン等で書かれた文字を消すことは大変手間がかかり、難聴者等に対する情報保障を滞りなく行うため、即ち再使用可能な筆記板を切れ目なく供給するためには要約筆記者Ｃのみならず、場合によっては要約筆記者Ｄも文字消去作業をする必要があり、要約筆記者にとって大きな負担で、且つ通常３〜４名の要約筆記者を必要としていた。  一方、前記のように要約筆記者が潤沢に配置できない場合、文字消去作業の遅れにより再使用可能な筆記板の供給が遅れ、ひいては難聴者等に提供できる情報量が制限されていた。そこで、この発明は、筆記板の文字消去作業を完全に廃し、難聴者等に対する情報保障を滞りなく行うための筆記装置を提供することを課題とする。
【課題を解決するための手段】
【０００４】  以上の課題を解決するために、第一発明は、ファックス用ロール紙あるいは透明なフィルム状のロール紙等およびそれを巻取るための巻取り芯を同時に装着できることを特徴とするボードである。  また、第二発明は、前記ロール紙と巻取り芯の中間に位置する巻取り可能な紙面に適当な文筆具で文字が書けるスペースを有することを特徴とするボードである。また、第三発明は、前記ロール紙と巻取り芯を同時に装着した状態で支持棒を介して人力により容易に運搬及び支持することが出来ることを特徴とするボードである。
【発明の効果】
【０００５】  第一発明、または第二発明によれば、一枚のボードにロール紙及び巻取り芯を同時に設けたので、ロール紙からの連続した紙を巻取ることにより、常に文字記載可能な新しい紙面が供給される。又，ロール紙と巻取り芯の中間に位置する場所に適当なスペースを設けたのでこのスペースに位置した紙面に許容される範囲内で文字を記載することが出来る。また第三発明によれば、ロール紙と巻取り芯を同時に装着した状態のボードに支持棒をつけることにより人力で容易に運搬及び支持することが出来る。
【発明を実施するための最良の形態】
【０００６】  この発明の一実施形態を、図１、２、３に示す。
ボード本体１には適当な支持具５、６が装着されており、ロール紙２及び巻取り芯４はそれぞれの支持具５、６に支持される。ロール紙２からの連続した紙面３の端部はボードの片面上を通り巻取り芯４に固定される。図２は図１の正面図である。巻取り芯４をまわす適当な回転具、例えば手回しハンドル７が巻取り芯４に連結されており、この回転具７を回転させることにより巻取り芯４は回転し、ロール紙２からのロール紙面３は連続的に巻き取られていく。かくしてボード面１にはロール紙２から文字記載可能な新しいロール紙面３が連続的に供給される。この時、ボード面に文字記載可能な適当なスペースを持つことにより充分な文字量を記載できる。難聴者等への文字伝達情報保障経験からすれば、このスペースはロール紙２の紙幅の１．５〜３倍が適当である。図３はボード１に固定された適当なボード支持具８に支持棒９を装着したものである。
「実施形態の効」【０００７】  この実施形態によれば、巻取り芯４を巻き取ることにより、既に文字が記入されたロール紙面３は巻取り芯４に巻き取られていく。と同時に、常に文字記載可能な新しいロール紙面３が連続的に供給されるので、既に記入された文字を消去する必要がなく、新しいロール紙面３に次々に文字が記入可能なため、要約筆記者の負担が軽くなるのと同時に、難聴者等への情報保障が滞りなく行える。従来要約筆記者が３〜４名必要としていたがこの発明によれば１〜２名ですむ。又、情報保障行為が終了した時点で、ロール紙面３は適当な位置で切り離され、未使用部分のロール紙２は次回使用のため別途保管され無駄とはならない。さらに従来は筆記板がローテーション使用されていたため、情報内容はすべて消去されていたが、巻取り芯４に巻き取られた使用済み部分のロール紙面３には、情報内容がそのまま残るので、情報保障行為中あるいは終了後その内容をレビューできるし、不要であればそのまま廃棄可能である。又、従来は要約筆記者が両手で筆記板を支持していたが支持棒９によりボードの支持が容易にできる。
「他の実施形態」【０００８】  図１、２の実施形態では、ロール紙２及び巻取り芯４は上下に配置されているが他の実施形態では、左右に配置したものでもよい。又、手回しハンドル７も他の実施形態では電動式等でもよい。図３の実施形態では、支持棒９は一脚であるが、他の実施形態では三脚等でもよい。
【図面の簡単な説明】
【０００９】
【図１】この発明の一実施形態を示す側面図である。
【図２】この発明の一実施形態を示す正面図である。
【図３】この発明の一実施形態を示す側面図である。
【図４】従来技術を示す斜視図である。
【符号の説明】
【００１０】１      ボード本体            ２      ロール紙            ３      ロール紙面
４      巻取り芯              ５、６  支持具              ７      ハンドル
８      ボード支持具          ９      支持棒              １０    筆記板
【図１】
2005074995.tif 000003
【図２】
2005074995.tif 000004
【図３】
2005074995.tif 000005
【図４】
2005074995.tif 000006